(57)【要約】  非イオン性界面活性剤、および１もしくは複数のジェミニ様および／またはオリゴマー様界面活性剤を含んでなる超両親媒性物質を含んでなる界面活性剤組成物、およびその生成法。【選択図】図１
2020504190.tif 000002
【特許請求の範囲】
【請求項１】
（ｉ）非イオン性界面活性剤、および（ｉｉ）超両親媒性物質を含んでなる界面活性剤組成物。
【請求項２】
超両親媒性物質が、多官能性アミンおよび陰イオン性界面活性剤の塩である請求項１に記載の界面活性剤組成物。
【請求項３】
多官能性アミンが、（ポリ）エチレンポリアミン、（ポリ）プロピレンポリアミン、またはそれらの組み合わせから選択される請求項２に記載の界面活性剤組成物。
【請求項４】
多官能性アミンが、エチレンジアミン、ジエチレントリアミン、トリエチレンテトラミン、テトラエチレンペンタミン、またはそれらの組み合わせから選択される（ポリ）エチレンポリアミンである請求項２に記載の組成物。
【請求項５】
陰イオン性界面活性剤が、直鎖アルキルベンゼンスルホン酸塩、アルキルエーテル硫酸塩、アルキル硫酸塩、第二級アルカンスルホン酸塩、オレフィンスルホン酸塩、スルホコハク酸塩、リン酸エステル、セッケン、またはそれらの組み合わせから選択される請求項２に記載の界面活性剤組成物。
【請求項６】
陰イオン性界面活性剤が、直鎖アルキルベンゼンスルホン酸塩である請求項２に記載の界面活性剤組成物。
【請求項７】
多官能性アミン  対  陰イオン性界面活性剤のモル比が、組成物が約５から約９．５の範囲のｐＨを有するような比である請求項２に記載の界面活性剤組成物。
【請求項８】
多官能性アミン  対  陰イオン性界面活性剤のモル比が、組成物が約６から約８の範囲のｐＨを有するような比である請求項２に記載の界面活性剤組成物。
【請求項９】
超両親媒性物質が、陽イオン性界面活性剤および多官能性酸の塩である請求項１に記載の界面活性剤組成物。
【請求項１０】
多官能性酸および陽イオン性界面活性剤のモル比が、組成物が約５から約９．５の範囲のｐＨを有するような比である請求項９に記載の界面活性剤組成物。
【請求項１１】
組成物が約６から約８の範囲のｐＨを有する請求項１に記載の界面活性剤組成物。
【請求項１２】
非イオン性界面活性剤が、ノニルフェノールエトキシレート、脂肪アルコールエトキシレート、メチルエステルエトキシレート、アルキルポリグルコシド、アルカノールアミド、植物油エトキシレート、またはそれらの組み合わせから選択される請求項１に記載の界面活性剤組成物。
【請求項１３】
非イオン性界面活性剤が、１０から１４の親水性−疎水性バランスを有する請求項１に記載の界面活性剤組成物。
【請求項１４】
超両親媒性物質  対  非イオン性界面活性剤の重量比が１：１０から１０：１の範囲である請求項１に記載の界面活性剤組成物。
【請求項１５】
組成物が、水溶液に実質的に可溶性である請求項１に記載の界面活性剤組成物。
【請求項１６】
（ｉ）超両親媒性物質、および（ｉｉ）非イオン性界面活性剤を混合することを含んでなる請求項１に記載の界面活性剤組成物の作成法。
【請求項１７】
超両親媒性物質が水溶液中に存在する請求項１６に記載の方法。
【請求項１８】
（ｉ）水、および（ｉｉ）請求項１ないし１５のいずれか１項に記載の界面活性剤組成物を含んでなる水性洗浄組成物。
【請求項１９】
界面活性剤組成物が、水性洗浄組成物の０．０１から９５重量パーセントの範囲の濃度で存在する請求項１８に記載の水性洗浄組成物。
【請求項２０】
水性洗浄組成物が、いかなる追加の界面活性剤も実質的に含まない請求項１８に記載の水性洗浄組成物。
【発明の詳細な説明】
【技術分野】
【０００１】
関連出願との関係
本出願は、２０１７年１月１６日に出願された米国特許仮出願第６２／４４６，６８４号明細書の利益を主張し、その全開示を引用により、本明細書に編入する。
【０００２】
連邦政府により資金提供された研究開発に関する記載
適用なし
【０００３】
分野
本開示は一般に、非イオン性界面活性剤と１もしくは複数のジェミニ様（ｇｅｍｉｎｉ−ｌｉｋｅ）および／またはオリゴマー様（ｏｌｉｇｏｍｅｒｉｃ−ｌｉｋｅ）界面活性剤とを含んでなる超両親媒性物質（ｓｕｐｒａ−ａｍｐｈｉｐｈｉｌｅｓ）を含んでなる水溶性界面活性剤組成物に関する。本明細書に開示する界面活性剤組成物は、様々な用途、例えば洗剤配合物に使用することができる。
【背景技術】
【０００４】
ジェミニ（ｇｅｍｉｎｉ）界面活性剤は、それらのヘッド基（ｈｅａｄ  ｇｒｏｕｐ）またはその付近で共有結合した２つのモノマー界面活性剤からなり、反対に荷電した対イオンで中和されている。オリゴマー（ｏｌｉｇｏｍｅｒｉｃ）界面活性剤は、ヘッド基またはその付近で、共有的に結合した３個以上の同一またはほぼ同一のモノマー界面活性剤から作られており、これら全てが反対に荷電した対イオンで中和されている。
【０００５】
ジェミニおよびオリゴマー界面活性剤は、対応する従来の単鎖界面活性剤に比べて優れた物理化学的特性を現わすことが長い間知られてきた。それらの優れた物理化学的特性にかかわらず、ジェミニおよびオリゴマー界面活性剤は、それらを製造するために時間のかかる共有合成（ｃｏｖａｌｅｎｔ  ｓｙｎｔｈｅｓｉｓ）と複雑な精製を要することから商業的に広く受け入れられなかったようだ。非特許文献１を参照にされたい；また非特許文献２および非特許文献３も参照にされたい。それぞれ引用により本明細書に編入する。
【０００６】
厳しいそれらの共有合成無しにジェミニおよびオリゴマー界面活性剤の物理化学的特性を開発することが益々望まれていることに対応して、新規方法が非共有相互作用、例えば水素結合、金属−リガンド配位、ホスト−ゲスト認識、および静電的誘引を使用して類似の構造を形成するために開発された。非共有的相互作用を介して形成された２個の両親媒性部分を含んでなる界面活性剤は、「ジェミニ様界面活性剤」と呼ばれている。非共有相互作用を介して形成された３個以上の同一またはほぼ同一の両親媒性部分を含んでなる界面活性剤は、「オリゴマー様界面活性剤」と呼ばれている。そのようなジェミニ様界面活性剤およびオリゴマー様界面活性剤は集合的に超両親媒性物質と呼ばれている。
【０００７】
ジェミニ様およびオリゴマー様界面活性剤（それぞれ「ジェミニ塩」または「プソイドジェミニ界面活性剤」および「オリゴマー塩」または「プソイドオリゴマー界面活性剤」とも呼ばれる）を形成することに対する最も好都合な取り組みの１つは、静電的誘引により、ここでは１もしくは複数のボーラ型（ｂｏｌａ−ｔｙｐｅ）有機酸、塩基、または塩が、反対に荷電した単鎖界面活性剤と合わされて、それらから塩を形成する。１もしくは複数のボーラ型有機酸、塩基、または塩の反対荷電と相対して荷電した単鎖界面活性剤の向かい合った電荷間の静電引力は、共有結合を介して生成されたジェミニおよびオリゴマー界面活性剤に類似した特性を有するジェミニ様またはオリゴマー様界面活性剤を生じると考えられている。
【０００８】
図１は、非常に基礎的なレベルでジェミニ／オリゴマー界面活性剤とジェミニ様／オリゴマー様界面活性剤との間の差異を強調している代表的な具体的説明である。具体的に説明するように、ジェミニ／オリゴマー界面活性剤は各両親媒性部分のヘッドを繋げる共有結合を有し、そしてジェミニ様／オリゴマー様界面活性剤は、例えばボーラ型有機酸の陽イオン性基と陰イオン性のシングルテイル（ｓｉｎｇｌｅ−ｔａｉｌ）の界面活性剤との間の静電的相互作用により形成されている。
【０００９】
これらの名称の付されたものと同様に、ジェミニ様およびオリゴマー様界面活性剤は、それらの限定された水溶性および多壁化層状液滴（ｍｕｌｔｉ−ｗａｌｌｅｄ  ｌａｍｅｌｌａｒ  ｄｒｏｐｌｅｔｓ）および小胞を形成する傾向から、広く市場に受け入れられなかったようだ。したがって１もしくは複数のジェミニ様および／またはオリゴマー様界面活性剤を含んでなる安定で実質的に水溶性の組成物を提供することは有利となろう。
【先行技術文献】
【非特許文献】
【００１０】
【非特許文献１】Ｚｈｕ  Ｌ．，Ｔａｎｇ  Ｙ．，ａｎｄ  Ｗａｎｇ  Ｙ（２０１６）Ｃｏｎｓｔｒｕｃｔｉｎｇ  Ｓｕｒｆａｃｔａｎｔ  Ｓｙｓｔｅｍｓ  ｗｉｔｈ  ｔｈｅ  Ｃｈａｒａｃｔｅｒｉｓｔｉｃ  ｏｆ  ｇｅｍｉｎｉ  ａｎｄ  ｏｌｉｇｏｍｅｒｉｃ  Ｓｕｒｆａｃｔａｎｔｓ  Ｔｈｒｏｕｇｈ  Ｎｏｎｃｏｖａｌｅｎｔ  Ｉｎｔｅｒａｃｔｉｏｎ．Ｊ  Ｓｕｒｆａｃｔ  Ｄｅｔｅｒｇ  １９：２３７−２４７
【非特許文献２】Ｂｕｎｔｏｎ  ＣＡ，Ｒｏｂｉｎｓｏｎ  Ｌ，Ｓｃｋａａｋ  Ｊ．，Ｓｔａｍ  ＭＦ（１９７１）Ｃａｔａｌｙｓｉｓ  ｏｆ  Ｎｕｃｌｅｏｐｈｉｌｉｃ  Ｓｕｂｓｔｉｔｕｔｉｏｎｓ  ｂｙ  Ｍｉｃｅｌｌｅｓ  ｏｆ  Ｄｉｃａｔｉｏｎｉｃ  Ｄｅｔｅｒｇｅｎｔｓ．Ｊ  Ｏｒｇ  Ｃｈｅｍ，３６：２３４６−２３５０
【非特許文献３】Ｚａｎａ  Ｒ．（２００２）Ｄｉｍｅｒｉｃ  ａｎｄ  ｏｌｉｇｏｍｅｒｉｃ  ｓｕｒｆａｃｔａｎｔｓ．Ｂｅｈａｖｉｏｒ  ａｔ  Ｉｎｔｅｒｆａｃｅｓ  ａｎｄ  ｉｎ  Ａｑｕｅｏｕｓ  Ｓｏｌｕｔｉｏｎ：Ａ  Ｒｅｖｉｅｗ．Ａｄｖａｎｃｅｓ  ｉｎ  Ｃｏｌｌｏｉｄ  ａｎｄ  Ｉｎｔｅｒｆａｃｅ  Ｓｃｉｅｎｃｅ  ９７：２０５−２５３
【図面の簡単な説明】
【００１１】
【図１】ジェミニ／オリゴマー界面活性剤およびジェミニ様／オリゴマー様界面活性剤の代表的な図解。
【図２】１０重量％の低２−フェニルＬＡＳを含有する水溶液に加えた様々な濃度のエチレンジアミンについて、ｐＨおよび溶解性の代表的な図解。
【図３】７．５重量％の低２−フェニルＬＡＳおよび２．５重量％の非イオン性界面活性剤を含有する水溶液に加えた様々な濃度のエチレンジアミンについて、粘度および溶解性の代表的な図解。
【図４】７．５重量％の低２−フェニルＬＡＳおよび２．５重量％の非イオン性界面活性剤を含有する水溶液に加えた様々な濃度のエチレンジアミンに関する粘度の代表的な図解。
【図５】非イオン性界面活性剤を含んでなる水溶液中の種々のアミン／ＬＡＳ塩の粘度のグラフ表示である。
【図６】非イオン性界面活性剤を含む水溶液中の種々のアミン／ＬＡＳ塩の洗浄力の結果のグラフ表示である。
【発明を実施するための形態】
【００１２】
本開示の少なくとも１つの態様を詳細に説明する前に、本開示はその応用が、以下の記載または図面の具体的説明で説明される成分または工程または方法論の構成および配置の詳細に限定されないと理解すべきである。本開示は他の態様が可能であり、または他の様式で実践され、または実行されることができる。また、本明細書で採用する表現法および語法は説明のためであると理解され、そして限定と見なされるべきではない。
【００１３】
本明細書で別段の定めが無い限り、本開示との関連で使用する技術用語は、当業者が一般的に理解している意味を有するべきである。さらに文脈により他の解釈を要求しない限り、単数形の用語には複数を含み、そして複数形の用語には単数を含むべきである。
【００１４】
明細書中で言及する全ての特許、公開された特許出願および非特許出版物は、本開示が関係する当業者の技術水準を示している。本出願の任意の部分で引用されている全ての特許、公開された特許出願および非特許出版物は、まるで各個別の特許または出版物が個別具体的に本開示を否定しない程度に引用により編入されていることを示すのと同程度に、それら全体を引用により本明細書に明白に編入する。
【００１５】
本明細書に開示する全ての組成物および／または方法は、本開示を考慮して過大な実験を行わずに作成および実行することができる。本開示の組成物および方法は好適な態様という意味で記載したが、当業者には変型を本明細書に記載する組成物および／または方法に、そして方法の工程または工程の順序に、本開示の概念、精神および範囲から逸脱せずに応用できることは明白であろう。当業者には明らかな全てのそのような類似の置換および修飾は、本開示の精神、範囲および概念内にあるものと見なされる。
【００１６】
本開示に従い使用されるように、以下の用語は別段の定めがない限り、以下の意味を有すると理解されるべきである。
【００１７】
“ａ”または”ａｎ”という用語の使用は、「含んでなる」、「含む」、「有する」または「含有する」（もしくはそのような用語の変形）という用語と関連して使用される場合、「１個」を意味することができるが、「１もしくは複数」、「少なくとも１つ」および「１もしくは１より多く」の意味とも合致する。
【００１８】
「または」という用語の使用は、代替が１つであること、そして代替が相互排他的である場合のみを特に明白に示さない限り「および／または」を意味するために使用する。
【００１９】
本開示を通して、「約」という用語は値が定量する装置、メカニズムもしくは方法の誤差に固有の変動、または測定されるべき個体（１もしくは複数）間に存在する固有の変動を含むことを示すために使用される。例えば限定するわけではないが、用語「約」が使用される時、言及する表示された値はプラスマイナス１０パーセント、または９パーセント、または８パーセント、または７パーセント、または６パーセント、または５パーセント、または４パーセント、または３パーセント、または２パーセント、または１パーセント、あるいはそれらの間の１もしくは複数の画分で変動してよい。
【００２０】
「少なくとも１つ」の使用は、１ならびに１より多くの量を含むと理解され、限定するわけではないが、１，２，３，４，５，１０，１５，２０，３０，４０，５０，１００等を含む。用語「少なくとも１つ」という用語は、それが指す用語に依存して１００または１０００以上に広げることができる。さらに１００／１０００の量は、より低い、または高い限定も満足な結果を生じる可能性があるので限定とは考えられない。
【００２１】
加えて「Ｘ，Ｙ，およびＺの少なくとも１つ」という句は、Ｘ単独、Ｙ単独およびＺ単独、ならびにＸ，Ｙ，およびＺの組み合わせを含むと理解される。同様に、「ＸおよびＹの少なくとも１つ」という句は、Ｘ単独、Ｙ単独、ならびにＸ，およびＹの組み合わせを含むと理解される。さらに「少なくとも１つの」という句は、任意の数の成分に使用されることができ、そして前記に説明した意味と類似の意味を有すると理解される。
【００２２】
序数の語法の使用（すなわち、「第１」、「第２」、「第３」、「第４」等）は、単に２以上の項目間を区別する目的であり、別段の定めがない限り他の項目に対して、または追加の順序に対して１つの項目に配列または順序または重要性を与えることを意味していない。
【００２３】
本明細書で使用するように、用語「含んでなる（ｃｏｍｐｒｉｓｉｎｇ）」（および含んでなる、の任意の形、例えば“ｃｏｍｐｒｉｓｅ”および“ｃｏｍｐｒｉｓｅｓ”）、「有する（ｈａｖｉｎｇ）」（および有する、の任意の形、例えば“ｈａｖｅ”および”ｈａｓ”）、「含む（ｉｎｃｌｕｄｉｎｇ）」（および含む、の任意の形、例えば“ｉｎｃｌｕｄｅ”および“ｉｎｃｌｕｄｅｓ”）、または「含有する（ｃｏｎｔａｉｎｉｎｇ）」（および含有する、の任意の形、例えば“ｃｏｎｔａｉｎｓ”および“ｃｏｎｔａｉｎ”）は、包括的または非限定的であり、追加の非言及要素または方法段階を排除しない。
【００２４】
本明細書で使用する「またはそれらの組み合わせ」および「およびそれらの組み合わせ」という句は、用語に先行する列挙した項目の全ての並び替えおよび組み合わせを指す。例えば「Ａ，Ｂ，Ｃまたはそれらの組み合わせ」は、少なくとも１つの：Ａ，Ｂ，Ｃ，ＡＢ，ＡＣ，ＢＣ，またはＡＢＣを含むことを意図し、そして特定の文脈で順序が重要な場合、ＢＡ，ＣＡ，ＣＢ，ＣＢＡ，ＢＣＡ，ＡＣＢ，ＢＡＣ，またはＣＡＢも含むことを意図している。この例を続ければ、明白に含まれるのは１もしくは複数の項目または用語の反復を含む組み合わせ、例えばＢＢ，ＡＡＡ，ＣＣ，ＡＡＢＢ，ＡＡＣＣ，ＡＢＣＣＣＣ，ＣＢＢＡＡＡ，ＣＡＢＢＢなどである。当業者は文脈から他に明白に示されない限り、一般に組み合わせる項目または用語の数に制限はないと理解するだろう。同じ考えで、用語「およびそれらの組み合わせ」が、句「からなる群から選択される」と一緒に使用される時、句に先行する列挙した項目のすべての変形および組み合わせを指す。
【００２５】
「１つの態様では」、「一態様では」、「１つの態様に従い」などの句は、一般に句に続く特定の構成要件（ｆｅａｔｕｒｅ）、構造または特徴が本開示の少なくとも１つの態様に含まれることを意味し、そして本開示の１より多くの態様に含まれることができる。重要なことは、そのような句が非限定的であり、そして同じ態様を必ずしも引用する必要はないが、もちろん１もしくは複数の先行するおよび／または後述する態様に引用することができる点である。例えば添付する請求の範囲では、任意の請求する態様が任意の組み合わせで使用され得る。
【００２６】
本明細書で使用するように、用語「重量％」、「ｗｔ．％」、「重量パーセント」または「重量による百分率」は互換的に使用される。
【００２７】
本明細書で使用する「実質的に無い」という句は、引用された組成物の総重量に基づき１重量パーセント未満、または０．１重量パーセント未満、または０．０１重量パーセント未満、あるいは０．００１重量パーセント未満の量で存在することを意味する。
【００２８】
さらに「多官能性塩基（ｍｕｌｔｉ−ｆｕｎｃｔｉｏｎａｌ  ｂａｓｅ）」、「ボーラ形有機塩基（ｂｏｌａｆｏｒｍ  ｏｒｇａｎｉｃ  ｂａｓｅ）」、「ボーラ型有機塩基（
ｂｏｌａ−ｔｙｐｅ  ｏｒｇａｎｉｃ  ｂａｓｅ）は、１もしくは複数の原子により間隔が空いた少なくとも２つのプロトン受容体を有する化合物を指すために互換的に使用される。同様に、「多官能性酸（ｍｕｌｔｉ−ｆｕｎｃｔｉｏｎａｌ  ａｃｉｄ）」、「ボーラ形有機酸（ｂｏｌａｆｏｒｍ  ｏｒｇａｎｉｃ  ａｃｉｄ）」、「ボーラ型有機酸（ｂｏｌａ−ｔｙｐｅ  ｏｒｇａｎｉｃ  ａｃｉｄ）」という用語は、１もしくは複数の原子により間隔が空いた少なくとも２つのプロトン供与体を有する化合物を指すために互換的に使用される。
【００２９】
本明細書で使用する「低２−フェニル直鎖アルキルベンゼンスルホン酸塩」は、当業者に知られているフッ化水素法を使用して生成された直鎖アルキルベンゼンスルホン酸塩を指す。
【００３０】
本明細書で使用する「水溶性」とは、２０℃の脱イオン水中で有意な液晶の形成無しに実質的に等方性であることを意味する。
【００３１】
用語「超両親媒性物質」とは、本明細書では多官能性アミンと陰イオン性界面活性剤の塩、または陽イオン性界面活性剤と多官能性酸との塩を称するために使用し、両方とも非共有的相互作用、特に静電的相互作用を介して生成され、そして一般にジェミニ様および／またはオリゴマー様界面活性剤と呼ばれる。
【００３２】
１つの観点によれば、本開示は（ｉ）非イオン性界面活性剤、および（ｉｉ）少なくとも１つの超両親媒性物質を含んでなる界面活性剤組成物を対象とする。
【００３３】
１つの態様では、少なくとも１つの超両親媒性物は陰イオン性界面活性剤および多官能性アミンの塩を含んでなる。
【００３４】
陰イオン性界面活性剤は、例えば限定するわけではないが、直鎖アルキルベンゼンスルホン酸塩、アルキルエーテル硫酸塩、アルキル硫酸塩、第二級アルカンスルホン酸塩、オレフィンスルホン酸塩、スルホコハク酸塩、リン酸エステル、セッケンまたはそれらの混合物から選択される１もしくは複数のシングルテイル界面活性剤を含んでなることができる。
【００３５】
１つの特定の態様では、陰イオン性界面活性剤は、式（Ｉ）により表される直鎖アルキルベンゼンスルホン酸塩を含んでなり：
【化１】
2020504190.tif 000003
式中、ｘは１１以下であり、そしてｙは０以上であるが、ただしｘとｙの和は７以上１１以下である。
【００３６】
直鎖アルキルベンゼンスルホン酸塩の非限定的例にはデシルベンゼンスルホン酸塩、ド
デシルベンゼンスルホン酸塩、トリデシルベンゼンスルホン酸塩、ウンデシルベンゼンスルホン酸塩、モノアルキルベンゼンスルホン酸塩、アルキルベンゼンスルホン酸塩、Ｃ10-14アルキル誘導化ベンゼンスルホン酸塩、モノアルキルベンゼンスルホン酸塩、またはそれらの混合物を含む。
【００３７】
１つの態様では、陰イオン性界面活性剤は低２−フェニル直鎖アルキルベンゼンスルホン酸塩である。市販の低２−フェニル直鎖アルキルベンゼンスルホン酸塩の例は、米国、イリノイ州、ノースフィールドのステパン社（Ｓｔｅｐａｎ  Ｃｏｍｐａｎｙ）からのＢＩＯ−ＳＯＦＴ（登録商標）Ｓ−１２０である。
【００３８】
１つの態様では、陰イオン性界面活性剤は式（ＩＩ）により表されるアルキルエーテル硫酸塩を含んでなり：
【化２】
2020504190.tif 000004
式中、ＲはＣ8−Ｃ24アルキル（直鎖または分岐鎖、飽和または不飽和）またはそれらの混合物であり；ｎは１から１２の範囲であり；そしてＭ+は本明細書に記載する多官能性アミンのアミン官能基の代表的な１つである。非限定的例には、ラウレス硫酸ナトリウム（Ｒ＝Ｃ12アルキル，ｎ＝１−３）、ラウレス硫酸アンモニウム（Ｒ＝Ｃ12アルキル，ｎ＝１−３）、およびトリデセス硫酸ナトリウム（Ｒ＝Ｃ13アルキル，ｎ＝１−４）がある。
【００３９】
別の態様では、陰イオン性界面活性剤は式（ＩＩＩ）により表されるアルキル硫酸塩を含んでなる：
【化３】
2020504190.tif 000005
式中、ＲはＣ8−Ｃ24アルキル（直鎖または分岐鎖、飽和または不飽和）またはそれらの混合物であり、そしてＭ+は本明細書に記載する多官能性アミンのアミン官能基の代表的な１つである。非限定的な例にはラウリル硫酸ナトリウム（Ｒ＝Ｃ１２アルキル）およびラウリル硫酸アンモニウム（Ｒ＝Ｃ１２アルキル）がある。
【００４０】
さらに別の態様では、陰イオン性界面活性剤は式（ＩＶ）により表されるオレフィンスルホン酸塩を含んでなる：
【化４】
2020504190.tif 000006
式中、Ｒ’はＣ8−Ｃ18アルキル（直鎖または分岐鎖、飽和または不飽和）またはそれ
らの混合物であり、そしてＭ+は本明細書に記載する多官能性アミンのアミン官能基の代表的な１つである。
【００４１】
多官能性アミンは、第一級アミン、第二級アミン、第三級アミン、第四級アミンまたはそれらの組み合わせからなる群から選択される少なくとも２つのアミンを有する化合物を含んでなる。１つの態様では、多官能性アミンは、二官能性アミン、三官能性アミン、四官能性アミン、五官能性アミン、六官能性アミン、またはそれらの組み合わせからなる群から選択される化合物である。
【００４２】
多官能性アミンの非限定的例には、限定するわけではないが、（ポリ）エチレンポリアミン、例えばエチレンジアミン（“ＥＤＡ”）、ジエチレントリアミン（“ＤＥＴＡ”）、トリエチレンテトラミン（“ＴＥＴＡ”）およびテトラエチレンペンタミン（“ＴＥＰＡ”）；（ポリ）プロピレンポリアミン、例えば１，３−プロピレンジアミン、ジプロピレンジアミン、トリプロピレンテトラミン、およびジメチルアミノプロピルアミン（ＤＭＡＰＡ）；ポリエーテルジアミン、例えばビス（アミノエチルエーテル）、ジプロピルグリコールジアミン、トリエチレングリコールジアミン、およびポリプロピレングリコールジアミン；ポリエーテルトリアミン；二官能性アミン触媒；三官能性アミン触媒；またはそれらの組み合わせがある。
【００４３】
１つの特に好適な態様では、多官能性アミンは（ポリ）エチレンポリアミンおよび（ポリ）プロピレンポリアミンの少なくとも１つである。（ポリ）エチレンポリアミンは、エチレンジアミン、ジエチレントリアミン、トリエチレンテトラミン、テトラエチレンペンタミン、ジメチルアミノプロピルアミン、またはそれらの組み合わせから選択することができる。
【００４４】
１つの態様では、多官能性アミンは式（Ｖ）、（ＶＩ）または（ＶＩＩ）を有するポリエーテルジアミンである：
【化５】
2020504190.tif 000007
式中、“ａ”は約２から約１００の範囲であり；
【化６】
2020504190.tif 000008
式中、ｃは約２から約４０の範囲であり、そしてｂとｄの和は約１から約１０の範囲であり；
【化７】
2020504190.tif 000009
式中、ｅは約２から約３の範囲である。
【００４５】
市販されているポリエーテルジアミンには、ＪＥＦＦＡＭＩＮＥ（登録商標）Ｄ、ＥＤおよびＥＤＲアミンがあり、限定するわけではないがＪＥＦＦＡＭＩＮＥ（登録商標）Ｄ−２３０、Ｄ−４００、Ｄ−２０００、Ｄ−４０００、ＥＤ−６００、ＥＤ−９００、ＥＤ−２００３、ＥＤＲ−１４８およびＥＤＲ−１７６アミンを含み、米国、テキサス州、ウッドランズのハンツマン  ペトロケミカルズ社（Ｈｕｎｔｓｍａｎ  Ｐｅｔｒｏｃｈｅｍｉｃａｌｓ  ＬＬＣ）から入手可能である。
【００４６】
追加のポリエーテルジアミンには、米国、テキサス州、ウッドランズのハンツマン  ペトロケミカル社からＪＥＦＦＡＭＩＮＥ（登録商標）ＸＴＪ−５１１として市販されているアルファ，アルファ’−（オキシジ−２，１−エタンジイル）ビス（オメガ−（アミノメチルエトキシ））、ならびにまたトリエチレングリコールジアミンと、部分的にアミン化した化合物およびより高級なオリゴマーとを一緒に含むアミンのブレンドで、その市販されている例がこれもまたハンツマン  ペトロケミカル社から入手可能なＪＥＦＦＡＭＩＮＥ（登録商標）ＸＴＪ−５１２を含む。
【００４７】
別の態様では、多官能性アミンは式（ＶＩＩＩ）を有するポリエーテルトリアミンである：
【化８】
2020504190.tif 000010
式中、Ｒ1は水素、メチル、またはエチルであり；ｎは０または１であり；そしてｆ，ｇ，およびｈの和は約１から約１００の範囲である。
【００４８】
市販のポリエーテルトリアミンは、ＪＥＦＦＡＭＩＮＥ（登録商標）Ｔ−シリーズのアミンを含み、それらには限定するわけではないが、米国、テキサス州、ウッドランズのハンツマン  ペトロケミカル社から入手可能なＪＥＦＦＡＭＩＮＥ（登録商標）Ｔ−４０３，Ｔ−３０００およびＴ−５０００アミンがある。
【００４９】
１つの態様では、多官能性アミンは式（ＩＸ），（Ｘ），（ＸＩ），（ＸＩＩ），（Ｘ
ＩＩＩ），または（ＸＩＶ）：
【化９】
2020504190.tif 000011
を有する二官能性アミン触媒である。
【００５０】
市販されている二官能性アミン触媒には米国、テキサス州、ウッドランズのハンツマン
ペトロケミカル社からの以下のＪＥＦＦＣＡＴ（登録商標）アミン触媒：ＪＥＦＦＣＡＴ（登録商標）ＺＦ−２０，ＺＦ−１０，ＤＰＡ，Ｚ−１３０，Ｚ−１１０およびＤＭＤＥＥがある。
【００５１】
別の態様では、多官能性アミンは式（ＸＶ），（ＸＶＩ），（ＸＶＩＩ），または（ＸＶＩＩＩ）：
【化１０】
2020504190.tif 000012
を有する三官能性触媒である。
【００５２】
市販されている三官能性アミン触媒には米国、テキサス州、ウッドランズのハンツマン
ペトロケミカル社からの以下のＪＥＦＦＣＡＴ（登録商標）アミン触媒：ＪＥＦＦＣＡＴ（登録商標）ＰＭＤＥＴＡ，ＺＲ−４０，ＺＲ−５０，およびＺ−１３０がある。
【００５３】
多官能性アミン  対  陰イオン性界面活性剤の比は、約５から約９．５の間、または約６から約８の間、より好ましくは約７のｐＨを有するように、生じる溶液が実質的に中和されるような比である。
【００５４】
例えば陰イオン性界面活性剤が直鎖アルキルベンゼンスルホン酸塩であり、そして多官能性アミンがポリエーテルジアミンまたはエチレンジアミンであるならば、約０．５のモル比の多官能性アミン  対  陰イオン性界面活性剤（ジアミン分子あたり２個の陰イオン性界面活性剤分子に対応する）から約０．８の多官能性アミン  対  陰イオン性界面活性剤が、約５から約９．５、または約６から約８の範囲、より好ましくは約７のｐＨを有する中和溶液を生じることになる。同様に、陰イオン性界面活性剤が直鎖アルキルベンゼンスルホン酸塩であり、そして多官能性アミンがポリエーテルトリアミンまたはジエチレントリアミンであるならば、０．３３のモル比の多官能性アミン  対  陰イオン性界面活性剤（トリアミン分子あたり３個の陰イオン性界面活性剤分子に対応する）から約０．８の多官能性アミン  対  陰イオン性界面活性剤が、約５から約９．５、または約６から約８
の範囲、より好ましくは約７のｐＨを有する中和溶液を生じることになる。
【００５５】
別の態様では、超両親媒性物は多官能性酸を含む陽イオン性界面活性剤の塩である。
【００５６】
陽イオン性界面活性剤は、第一級アミン塩、第四級アンモニウム塩、エトキシル化アミン、またはそれらの混合物から選択されるシングルテイルの陽イオン性界面活性剤であることができる。
【００５７】
第四級アンモニウム塩の例およびその調製法は以下の特許に記載されており、それらは引用により本明細書に編入する：米国特許第４，２５３，９８０号、同第３，７７８，３７１号、同第４，１７１，９５９号、同第４，３２６，９７３号、同第４，３３８，２０６号および同第５，２５４，１３８号明細書。
【００５８】
多官能性酸は、二量体化脂肪酸、マレイン酸、フマル酸、クエン酸またはそれらの混合物であることができる。
【００５９】
陽イオン性界面活性剤  対  多官能性の酸の比は、生じる溶液が約５から約９．５の間、または約６から約８の間、または約７のｐＨを有するように中和されるための比である。例えば陽イオン性界面活性剤が第四級アンモニウム塩であり、そして多官能性の酸がマレイン酸であるならば、約０．５（多官能性酸分子あたり２個の陽イオン性界面活性剤分子に対応する）から約０．８のモル比の多官能性酸  対  陽イオン性界面活性剤が、約５から約９．５の間、または約６から約８の間、または約７のｐＨを有する中和溶液を生じることになる。
【００６０】
非イオン性界面活性剤は、ノニルフェノールエトキシレート、脂肪アルコールエトキシレート、メチルエステルエトキシレート、アルキルポリグリコシド、アルカノールアミド、植物油エチキシレートまたはそれらの組み合わせから選択することができる。
【００６１】
１つの態様では、非イオン性界面活性剤は、約１０から約１４、または約１０から約１３の範囲の親水性−親油性バランスを有する。
【００６２】
非イオン性界面活性剤の非限定的例には、６モルのエチレンオキシドを含むＣ10−Ｃ12直鎖アルコール（ＳＵＲＦＯＮＩＣ（登録商標）Ｌ１２−６）、８モルのエチレンオキシドを含むＣ10−Ｃ12直鎖アルコール（ＳＵＲＦＯＮＩＣ（登録商標）Ｌ１２−８）、５モルのエチレンオキシドを含むＣ12−Ｃ14直鎖アルコール（ＳＵＲＦＯＮＩＣ（登録商標）Ｌ２４−５）、７モルのエチレンオキシドを含むＣ12−Ｃ14直鎖アルコール（ＳＵＲＦＯＮＩＣ（登録商標）Ｌ２４−７）、９モルのエチレンオキシドを含むＣ12−Ｃ14直鎖アルコール（ＳＵＲＦＯＮＩＣ（登録商標）Ｌ２４−９界面活性剤）、１２モルのエチレンオキシドを含むＣ12−Ｃ14直鎖アルコール（ＳＵＲＦＯＮＩＣ（登録商標）Ｌ２４−１２）、イソデシルアルコールの４モルエトキシレート（ＳＵＲＦＯＮＩＣ（登録商標）ＤＡ−４）、イソデシルアルコールの６モルエトキシレート（ＳＵＲＦＯＮＩＣ（登録商標）ＤＡ−６）、分岐イソトリデシルアルコールの６モルエトキシレート（ＳＵＲＦＯＮＩＣ（登録商標）ＴＤＡ−６）、分岐イソトリデシルアルコールの８モルエトキシレート（ＳＵＲＦＯＮＩＣ（登録商標）ＴＤＡ−８）、分岐イソトリデシルアルコールの９モルエトキシレート（ＳＵＲＦＯＮＩＣ（登録商標）ＴＤＡ−９）、分岐イソトリデシルアルコールの１１モルエトキシレート（ＳＵＲＦＯＮＩＣ（登録商標）ＴＤＡ−１１）、Ｃ12−Ｃ13分岐アルコールの９モルエトキシレート（ＳＵＲＦＯＮＩＣ（登録商標）ＬＳＦ２３−９）、約６モルのエチレンオキシドを含むＣ9−Ｃ11アルコール（ＥＭＰＩＬＡＮ（登録商標）ＫＲ−６）、約８モルのエチレンオキシドを含むＣ9−Ｃ11アルコール（ＥＭＰＩＬＡａ  Ｎ（登録商標）ＫＲ−８）、パームステアリンメトキシエステルエトキシレート（
ＳＵＲＦＯＮＩＣ（登録商標）ＭＥ５３０−ＰＳ，ＭＥ４００−ＣＯ，ＭＥ５５０−ＳＯ，Ｅ４００−ＭＯ）、エトキシル化およびプロポキシル化直鎖第一級アルコール（ＳＵＲＦＯＮＩＣ（登録商標）ＬＦ−１８）、またはＳＵＲＦＯＮＩＣ（登録商標）ＨＳＣ−４００、ＨＳＣ−４２０およびＨＤＬ−９５のようなエトキシル化アルコールのブレンドがある。ＳＵＲＦＯＮＩＣ（登録商標）の記号は、米国、テキサス州、ウッドランズのハンツマン  ペトロケミカル社により所有され、そして上述のＳＵＲＦＯＮＩＣ（登録商標）界面活性剤はハンツマン  ペトロケミカル社から入手できる。
【００６３】
１つの態様では、超両親媒性物質  対  非イオン性界面活性剤の重量比は、超両親媒性物が水に実質的に溶けるような比である。１つの特定の態様では、超両親媒性物質  対  非イオン性界面活性剤の重量比は、約１：１０から約１０：１、または約１：５から約５：１、または約１：４から約４：１、または約１：４から約１：１、または約１：３から約１：１の範囲である。
【００６４】
別の観点では、本開示は超両親媒性物質（本明細書で記載するような）と非イオン性界面活性剤（本明細書で記載するような）とを混合することを含んでなる界面活性剤組成物の作成法を対象とする。
【００６５】
さらに別の観点では、界面活性剤組成物は汚れた、または染みが付いた軟質または硬質表面に直接適用することができる水性洗浄組成物として提供される。洗浄組成物は、洗浄組成物の総重量に基づき約０．５重量％から約９５重量％の界面活性剤組成物、および約５％から約９９．５重量％の水を含んでなることができる。他の態様では、洗浄組成物は約２０重量％から約５５重量％、または約３０重量％から約５０重量％の界面活性剤組成物を含んでなることができ、この重量％は洗浄組成物の総重量に基づく。さらに他の態様では、水性洗浄組成物は少なくとも約０．１重量％、または少なくとも約１重量％、または少なくとも約５重量％、または少なくとも約１０重量％、またはさらに少なくとも約１５重量％またはさらにより少なくとも約２０重量％の界面活性剤を含み、この重量％洗浄組成物の総重量に基づく。
【００６６】
別の態様では、界面活性剤組成物は、例えば濃縮洗浄組成物の状態で提供され、これは即使用可能な洗浄組成物を形成するために使用者により引き続き水で希釈されることができる。濃縮洗浄組成物は一般に約５重量％から約９０重量％の間の界面活性剤組成物、および約５０重量％未満、または約４０重量％未満、またはさらに約３０重量％未満の水を含む。したがって洗浄組成物は直ぐに使用するための洗浄組成物として使用者に提供されることもでき、ここでは濃縮洗浄組成物は即使用可能な洗浄組成物の総重量に基づき最高約９５−９９重量％の水ですでに希釈されている。
【００６７】
界面活性剤組成物および水に加えて、洗浄組成物は１もしくは複数の水不溶性溶剤または本明細書で油成分と呼ぶ油またはそれらの混合物を含んでよく、これにより単相のマイクロエマルジョンを形成する。油成分は単相マイクロエマルジョンの形成を助け、同時に表面から汚れや染みを除くための溶剤または柔軟剤として作用することができる。油成分は、単相マイクロエマルジョンの総重量に基づき約０．５重量％から約７５重量％の間の範囲の量、あるいは他の態様では単相マイクロエマルジョンの総重量に基づき約１重量％から約５０重量％の間の範囲の量、そしてさらに別の態様では単相マイクロエマルジョンの総重量に基づき約２重量％から約３５重量％の間の範囲の量、そしてさらに別の態様では約３重量％から約２５重量％で提供され得る。
【００６８】
１つの態様では、油成分は：エーテル、例えばグリコールエーテルまたはＰＰＧブチルエーテル；炭化水素または溶剤、例えばスクワラン、リモネン、液体パラフィン、液体イソパラフィン、ａ−オレフィンオリゴマー、ヘキサデカン、ヘキサン、ジペンテン、オク
チルベンゼン、ミネラルスピリッツ、鉱物油など；液体エステル、例えばイソプロピルミリステート、オクチルドデシルミリステート、オレイルオレート、デシルオレート、２−へキシルデシルイソステアレート、ヘキシルデシルジメチルオクタノエート、イソプロピルパルミテート、エチルヘキシルパルミテート、オクチルメトキシシンナメート（ＯＭＣ）、ヘキシルラウレート、ブチルステアレート、ジイソプロピルアジペートなど；モーターオイル；植物油、例えばアボカド油、キャノーラ油、アーモンド油、ホホバ油、オリーブ油、ゴマ油、サザンカ油、ベニバナ油、大豆油、ヒマシ油、ツバキ油、コーン油、ナタネ油、米ぬか油、パーキックオイル（ｐａｒ  ｃｈｉｃ  ｏｉｌ）、ヤシの実油、ヤシ油、ティツリー油、ヒマワリ種子油、ブドウ種子油、綿実油、麻実油、ラベンダー油など；動物油、例えばタートル油、ミンク油、卵黄脂肪油、藻類油など；ならびにシリコーン油、例えばジメチルポリシロキサン、メチルフェニルポリシロキサン、メチルハイドロゲンポリシロキサン、オクタメチルシクロテトラシロキサンなど；およびそれらの混合物を含む。
【００６９】
１つの特定態様では、単相マイクロエマルジョンは実質的にアルコールを含まない。別の態様では、単相マイクロエマルジョンは実質的に電解質を含まない。さらに別の態様では、単相マイクロエマルジョンは実質的にアルコールおよび電解質を含まない。
【００７０】
さらに別の態様では、本明細書の洗浄組成物は中性組成物であり、したがって２５℃で測定した時に、約５から約９．５、または約６から約８、または約６．５から約７．５、あるいはさらに約７のｐＨを有する。
【００７１】
本開示による洗浄組成物は、目的とする技術的利益、および処理すべき表面に依存して様々な補助成分も含んでなることができる。
【００７２】
補助成分の例には、酸化防止剤、懸濁助剤、錯化剤、共−界面活性剤、ラジカルスカベンジャー、パフューム、洗浄および表面改質ポリマー、ビルダー、抗菌剤、殺菌剤、ヒドロトロープ、着色剤、安定化剤、漂白剤、漂白活性化剤、消泡剤（ｓｕｄｓ  ｃｏｎｔｒｏｌｌｉｎｇ  ａｇｅｎｔ）、発泡促進（ｓｕｄｓ  ｂｏｏｓｔｉｎｇ）および発泡抑制（ｓｕｄｓ  ｓｕｐｐｒｅｓｓｉｏｎ）様脂肪酸の両方、酵素、汚れ（ｓｏｉｌ）懸濁剤、耐腐食阻害剤（ａｎｔｉ−ｃｏｒｒｏｓｉｏｎ  ｉｎｈｉｂｉｔｏｒ）、光沢剤（ｂｒｉｇｈｔｅｎｅｒ）、抗ダスティング剤（ａｎｔｉ−ｄｕｓｔｉｎｇ  ａｇｅｎｔ）、分散剤、顔料、染料、真珠光沢剤、流動性改質剤、およびスキンケア活性剤、例えば軟化剤、保湿剤および／またはコンディショニングポリマーがある。これら保助成分のレベルは、洗浄組成物の総重量に基づき約０．００００１重量％から最高約９０重量％の範囲であることができる。
【００７３】
場合により洗浄組成物に加えられる酸化防止剤または保存剤には、ホルマリン、５−クロロ−２−メチル−４−イソチアゾリン−オン、および２，６−ジ−ｔｅｒｔ−ブチル−ｐ−クレゾールのような化合物がある。２，６−ジ−ｔｅｒｔ−ブチル−４−ンメチルフェノール（ＢＨＴ）、カルバメート、アスコルビン酸塩、チオ硫酸塩，モノエタノールアミン（ＭＥＡ）、ジエタノールアミン、およびトリエタノールアミンのような洗剤組成物に使用される任意の他の通例の酸化防止剤も包含することができる。このような成分が存在する場合、洗浄組成物の総重量に基づき約０．００１重量％から約５重量％の範囲の量で包含されることができる。
【００７４】
耐腐食阻害剤および／または変色防止助剤が存在する場合も、例えば洗浄組成物の重量に基づき約０．０１重量％から約５重量％の低レベルで包含されることができ、そしてメタケイ酸ナトリウム、アルカリ金属ケイ酸塩、例えばケイ酸ナトリウムもしくはマグネシウム、ビスマス塩、マンガン塩、ベンゾトリアゾール、ピラゾール、チオール、メルカプ
タン、脂肪酸アルミニウム塩、およびそれらの混合物を含む。
【００７５】
任意の蛍光染料（ｏｐｔｉｃａｌ  ｂｒｉｇｈｔｅｎｅｒ）もしくは増白剤（ｂｒｉｇｈｔｅｎｉｎｇ  ａｇｅｎｔ）または漂白剤は、本開示の洗浄組成物に使用することができる。一般に増白剤が洗剤組成物に包含される場合、洗浄組成物の総重量に基づき約０．０１重量％から約１．２重量％の範囲のレベルである。増白剤はスチルベン、ピラゾリン、クマリン、カルボン酸、メチンシアニン、ジベンゾチオフェン−５，５−ジオキシド、アゾール、５−および６−員環の複素環化合物の誘導体、および他の種々雑多な作用剤を含んでよい。さらにペルオキシ酸、過ホウ酸塩、過炭酸塩および塩素系漂白剤を、洗浄組成物の総重量に基づき一般に約１重量％から約３０重量％の範囲のレベルで使用することができる。また漂白剤は、アミド、イミド、エステルおよび無水物および／または漂白安定化剤のような漂白活性剤と一緒に使用してもよい。
【００７６】
洗剤組成物に存在できる抗菌剤には、消毒剤、例えば塩化ベンザルコニウム、ポリヘキサメチレンビグアニド、フェノール系消毒剤、両性消毒剤、陰イオン性消毒剤、および金属性消毒剤（例えば銀）がある。他の抗菌剤には、過酸化水素、過酸、オゾン、次亜塩素酸および二酸化塩素がある。洗剤組成物に包含できる抗菌剤の量は、洗浄組成物の総重量に基づき約０．１重量％から約１０重量％の範囲である。
【００７７】
含むことができる殺菌剤は、硫酸銅のような化合物である。殺菌剤が存在する場合には、洗浄組成物の総重量に基づき約０．０１重量％から約５重量％の間の範囲となり得る。
【００７８】
洗剤組成物にゲル化、増粘または懸濁剤として一般に使用される任意の適切な有機および無機懸濁助剤を本明細書で使用することができる。有機懸濁助剤には、多糖ポリマー、ポリカルボン酸塩ポリマー、増粘剤、層状ケイ酸塩小板（ｌａｙｅｒｅｄ  ｓｉｌｉｃａｔｅ  ｐｌａｔｅｌｅｔ）、例えばヘクトライト、ベントナイトまたはモンモリロナイト、ヒドロキシル含有結晶構造化剤、例えばヒドロキシル含有脂肪酸、脂肪エステルまたは脂肪セッケンワックス−様鉱物、例えば１２−ヒドロキシステアリン酸、９，１０−ジヒドロキシステアリン酸、トリ−９，１０−ジヒドロキシステアリンおよびトリ−１２−ヒドロキシステアリン、キャスターワックスまたは水素化ヒマシ油がある。本明細書で使用するための特定の多糖ポリマーには、カルボキシメチルセルロース、エチルセルロース、ヒドロキシエチルセルロース、ヒドロキシプロピルセルロース、ヒドロキシメチルセルロースのような置換セルロース材料；ミクロフィブリルセルロース（ＭＦＣ）、スクシノグルカンおよび天然に存在する多糖ポリマー様のキサンタンガム、ジュランガム，グアガムおよびその誘導体、ローカストビーンガム、トラガカントガム、スクシノグルカンガム、またはそれらの誘導体を含む。懸濁助剤が存在する場合、洗浄組成物の総重量に基づき約０．０１重量％から約１０重量％の範囲の量で使用できる。
【００７９】
錯化剤が存在する場合、本明細書では洗浄組成物の総重量に基づき約０．０１重量％から約１０．０重量％の範囲の量で組成物に包含できる。本明細書で使用するための錯化剤の例にはアルカリ金属エタン１−ヒドロキシジホスホン酸塩（ＨＥＤＰ）、アルキレンポリ（アルキレンホスホン酸塩）、ならびにアミノホスホン酸塩化合物、それらにはアミノアミノトリ（メチレンホスホン酸）（ＡＴＭＰ）、ニトリロトリメチレンホスホン酸塩（ＮＴＰ）、エチレンジアミンテトラメチレンホスホン酸塩およびジエチレントリアミンペンタメチレンホスホン酸塩（ＤＴＰＭＰ）があり、ジヒドロキシジスルホベンゼン、例えば１，２−ジヒドロキシ−３，５−ジスルホベンゼン、エチレンジアミンＮ，Ｎ’−ジコハク酸、またはアルカリ金属、またはアルカリ土類金属、またはそれらのアンモニウムまたは置換アンモニウム塩、またはそれらの混合物、エチレンジアミンテトラ酢酸塩、ジエチレントリアミンペンタ酢酸塩、ジエチレントリアミンペンタ酢酸塩（ＤＴＰＡ）、Ｎ−ヒドロキシエチルエチレンジアミントリ酢酸塩、ニトリロトリ−酢酸塩、エチレンジアミ
ンテトラプロピオン酸塩、トリエチレンテトラアミンヘキサ−酢酸塩、エタノール−ジグリシン、プロピレンジアミンテトラ酢酸（ＰＤＴＡ）およびメチルグリシンジ−酢酸（ＭＧＤＡ）、それらの酸形の両方、またはそれらのアルカリ金属、アンモニウム、および置換アンモニウム塩形、サリチル酸、アスパラギン酸、グルタミン酸、グリシン、マロン酸またはそれらの混合物を含むことができる。
【００８０】
適切な着色剤およびフレグランス（ｆｒａｇｒａｎｃｅｓ）は、当業者に周知である。着色剤にはダイレクトブルー（Ｄｉｒｅｃｔ  Ｂｌｕｅ）８６（マイルス：Ｍｉｌｅｓ）、ファスツゾルブルー（Ｆａｓｔｕｓｏｌ  Ｂｌｕｅ）（モベイケミカルズ社：Ｍｏｂａｙ  Ｃｈｅｍｉｃａｌ  Ｃｏｒｐ．）、アシッドオレンジ（Ａｃｉｄ  Ｏｒａｎｇｅ）７（アメリカンシアナミド：Ａｍｅｒｉｃａｎ  Ｃｙａｎａｍｉｄ）、ベイシックバイオレット（Ｂａｓｉｃ  Ｖｉｏｌｅｔ）１０（サンドス：Ｓａｎｄｏｚ）、アシッドイエロー（Ａｃｉｄ  Ｙｅｌｌｏｗ）２３（ジー  エー  エフ：ＧＡＦ）、アシッドイエロー（Ａｃｉｄ  Ｙｅｌｌｏｗ）１７（シグマケミカル：Ｓｉｇｍａ  Ｃｈｅｍｉｃａｌ）、サップグリーン（Ｓａｐ  Ｇｒｅｅｎ）（ケイストン  アナリン  アンド  ケミカル：Ｋｅｙｓｔｏｎ  Ａｎａｌｉｎｅ  ａｎｄ  Ｃｈｅｍｉｃａｌ）、メタニルイエロー（Ｍｅｔａｎｉｌ  Ｙｅｌｌｏｗ）（ケイストン  アナリン  アンド  ケミカル）、アシッドブルー（Ａｃｉｄ  Ｂｌｕｅ）９（ヒルトン  デイビス：Ｈｉｌｔｏｎ  Ｄａｖｉｓ）、サンドランブルー／アシッドブルー（Ｓａｎｄｏｌａｎ  Ｂｌｕｅ／Ａｃｉｄ  Ｂｌｕｅ）１８２（サンドス）、ヒスゾルファストレッド（Ｈｉｓｏｌ  Ｆａｓｔ  Ｒｅｄ）（キャピタル  カラー  アンド  ケミカル：Ｃａｐｉｔｏｌ  Ｃｏｌｏｒ  ａｎｄ  Ｃｈｅｍｉｃａｌ）、フルオレセイン（Ｆｌｕｏｒｅｓｃｅｉｎ）（キャピタル  カラー  アンド  ケミカル）、およびアシッドグリーン（Ａｃｉｄ  Ｇｒｅｅｎ）２５（チバ−ガイギー：Ｃｉｂａ−Ｇｅｉｇｙ）がある。フレグランスの例には天然産物、例えばアンバーグリス、ベンゾイン、カストリウム、シベット、丁子油、ガルバナム、ジャスミン、ローズマリー油、サンダルウッド、オレンジ油、レモン油、バラ抽出物、ラベンダー、ジャコウ、松根油、シーダー等がある。人工香料（ａｒｏｍａ  ｃｈｅｍｉｃａｌｓ）の例には、限定するわけではないが、酢酸イソアミル（バナナ）；プロピオン酸イソブチル（ラム）；アントラニル酸メチル（ブドウ）；酢酸ベンジル（モモ）；酪酸メチル（リンゴ）；酪酸エチル（パイナップル）；酢酸オクチル（オレンジ）；酢酸ｎ−プロピル（ナシ）；およびフェニル酢酸エチル（ハチミツ）がある。本開示による洗浄組成物は、前記種類の化合物の任意の組み合わせを、臭気遮蔽効果を生じるために、または望ましくない臭気を許容できるレベルにまで下げるために必要な有効量で含むことができ、そして幾つか態様では、上に列挙した油およびエステルは、油成分として使用してもよい。使用する量は当業者に容易に定められ、そして洗浄組成物の総重量に基づき約０．０１重量％から約５重量％の範囲となり得る。
【００８１】
ポリマー性発泡安定化剤（ｓｕｄｓ  ｓｔａｂｉｌｉｚｅｒ）は、（Ｎ，Ｎ−ジアルキルアミノ）アルキルエステル、および（Ｎ，Ｎ−ジアルキルアミノ）アルキルアクリレートエステルのホモポリマー、ならびにメチルセルロース，ヒドロキシプロピルメチルセルロース、ヒドロキシエチルメチルセルロースを含む疎水的に改質されたセルロース性ポマー、およびそれらの混合物から選択することができる。ポリマー性発泡安定化剤の量は、洗浄組成物の総重量に基づき約０．０１重量％から約１５重量％の範囲であることができる。
【００８２】
所望により洗浄性能の利点を提供するために酵素を洗浄組成物に含めることができる。酵素は、存在するならば洗浄組成物の総重量に基づき約０．０００１重量％から約５重量％の範囲あり、そしてセルラーゼ、ヘミセルラーゼ、ペルオキシダーゼ、プロテアーゼ、グルコ−アミラーゼ、アミラーゼ、リパーゼ、クチナーゼ、ペクチナーゼ、キシラナーゼ、リダクターゼ、オキシダーゼ、フェノールオキシダーゼ、リポキシゲナーゼ、リグニナ
ーゼ、プルラナーゼ、タンアーゼ、ペントサナーゼ、マラナーゼ、ベータ−グルカナーゼ、およびアラビノシダーゼの１つまたは混合物を含む。
【００８３】
酵素が存在する場合、酵素安定化剤も洗浄組成物の総重量に基づき約０．００１重量％から約１０重量％の範囲の量で洗剤組成物に含まれることができる。酵素安定化剤は、酵素と適合性の化合物であり、カルシウムイオン、ホウ酸、プロピレングリコール、短鎖カルボン酸、ボロン酸、およびそれらの混合物を含む。例えばアルカリ金属ホウ酸塩またはホウ酸アミン（例えばアルカノールアミン）、あるいはアルカリ金属ホウ酸塩、またはホウ酸カリウムのようなホウ酸塩、塩化カルシウム、水酸化カルシウム、ギ酸カルシウム、リンゴ酸カルシウム、マレイン酸カルシウム、水酸化カルシウム、および酢酸カルシウムは本発明の洗浄組成物に使用できる酵素安定化剤である。
【００８４】
本明細書の組成物を作成するために、前記成分を当該技術分野で周知の手段により一緒に合わせる。成分の相対的レベルは、一方では成分が効果的となる十分なレベルで存在し、しかし他方では成分の上限を限定することにより過剰な経費が回避されることを目指して、硬質表面または軟質表面の洗浄の応用に必要とされる組成物の性能を与えるために選択される。
【００８５】
本明細書の組成物は一般に液体配合物として調製されるので、組成物は任意の適切な入れ物（ｖｅｓｓｅｌ）または容器（ｃｏｎｔａｉｎｅｒ）中に容易に調製することができる。成分の混合順序は特に重要ではなく、そして一般に種々の成分を順次に、または全てを一度に水溶液の状態で加えることができる。
【００８６】
いったん配合されれば、本開示の組成物は種々の容器、例えばステンレス、スズまたはアルミニウム缶、プラスチックまたはガラス瓶および紙または厚紙容器に包装することができる。
【００８７】
本開示の洗浄組成物は様々な応用に使用することができ、そして１つの特定の態様は、硬質表面または軟質表面の洗浄に特に適している。
【００８８】
このように別の観点では、本開示は硬質表面または軟質表面から汚れまたは染みを除く方法を提供する。処置の標準的手段は、本開示による洗剤組成物を様々な適用手段で、例えばエアゾール形、または標準的な噴霧ノズルによる噴霧で、擦ること（ｒｕｂｂｉｎｇ）、擦ること（ｓｃｒａｐｉｎｇ）、ブラシをかけること、浸すこと、コーティングすること、ゲル状態で適用することにより硬質表面または軟質表面に向けて、または対して接触または適用すること、あるいは洗剤組成物を硬質表面または軟質表面上に、または対して注ぐことによる。次いで洗剤組成物は、水ですすぎ、かつ／または洗剤組成物がもはや目で見えなくなるまで拭くことにより硬質表面または軟質表面から除去することができる。また硬質表面または軟質表面は、風乾して洗剤組成物または残る水を表面から除去することができる。
【００８９】
界面活性剤組成物は、洗剤組成物中で特に有用であるが、それらはまた高度に汎用性があることも分かっており、化粧料および皮膚科学的応用に使用するための水性組成物またはマイクロエマルジョンに含まれることができる。
【００９０】
このように別の態様では、本開示の界面活性剤組成物および水を含んでなるパーソナルケア（ｐｅｒｓｏｎａｌ  ｃａｒｅ）組成物が提供される。パーソナルケアとは人の毛髪または皮膚に局所的に適用されるが、経口的には消化されない組成物に関する。好ましくはパーソナルケア組成物は人の皮膚で洗い流している間に局所的に適用されることになる。意図されるのはボディーウォッシュ、シャワーゲル、角質除去用組成物、シャンプー、
洗い流すコンディショナー、シェービングフォーム、フェイスウォッシュ、クレンザー、ハンドウォッシュ、クレンジングクリーム／ミルク、アストリンゼントローション、スキントナーもしくはフレッシュナー、バブルバス、可溶性バスオイル、および固形セッケンを含む界面活性剤組成物を含んでなるパーソナルケア組成物である。
【００９１】
幾つかの態様に従い、パーソナルケア組成物は０．００１重量％以上、場合により０．０１重量％以上、または０．０２重量％以上、または０．１重量％以上、または０．５重量％以上、または１重量％以上の界面活性剤組成物を含んでなり、ここで重量％はパーソナルケア組成物の総重量に基づく。別の態様では、パーソナルケア組成物は１０重量％以下、または５重量％以下の界面活性剤組成物を含んでなり、ここで重量％はパーソナルケア組成物の総重量に基づく。
【００９２】
パーソナルケア組成物に含めることができる他の成分（およびそれらの量）は、当業者には周知であり、そして上に列挙したものを含むことができる。例えば含むことができる他の成分は、保湿剤、保存剤、ｐＨ調整剤、モイスチャライザーおよび／または抗炎症剤、例えばアロエベラ、ＰＥＧ−７グリセリルココエート、カモミール、アボカド油またはスイートアーモンド油、染料またはパフュームである。
【実施例】
【００９３】
以下に実施例を提供する。しかし本開示はその応用を本明細書の以下に開示する具体的な実験、結果および研究室での手順に限定しないものと理解すべきである。むしろ実施例は様々な態様の１つとして提供され、そして例であって排他的でなはないことを意味する。
【００９４】
ジェミニ様および／またはオリゴマー様構造を有するアミン塩の限定された溶解性を証明するために、１０重量％の低２−フェニルＬＡＳを含んでなる水溶液を、溶液のｐＨが２から１０に上がるように異なる量のエチレンジアミンで（“ＥＤＡ”）で滴定した。０．５付近のモル比のＥＤＡ  対  低２−フェニルＬＡＳ（すなわち１モルのＥＤＡ  対  ２モルの低２−フェニルＬＡＳ）で、ほぼ中性のｐＨに達し、そして塩の沈殿により一部証明されるようにジェミニ−様界面活性剤が形成する。塩の沈殿は約０．５から約０．８のモル比で持続し、その溶液は約５から約９．５のｐＨを有した。低フェニルＬＡＳに対するＥＤＡのモル比を０．８を越えて上げ続けると、ついにはジェミニ様および／またはオリゴマー様塩の消失を引き起こし、そして溶解性のモノマー型界面活性剤構造への逆戻りをもたらす。図２はＥＤＡ  対  低２−フェニルＬＡＳのモル比がジェミニ−様および／またはオリゴマー様界面活性剤の形成、およびその溶解性に及ぼす効果を具体的に説明する。
【００９５】
ジェミニ様および／またはオリゴマー様構造を有するアミン塩の限られた溶解性を克服するために、追加の界面活性剤をジェミニ様および／またはオリゴマー様構造を有するアミン塩の水溶液に加えた。
【００９６】
１つの具体例では、７．５重量％の非イオン性界面活性剤（すなわち７モルのエチレンオキシドを含むＣ12−Ｃ14直鎖アルコール、ＳＵＲＦＯＮＩＣ（登録商標）Ｌ２４−７として米国、テキサス州、ウッドランズのハンツマン社、またはその提携から入手可能）、および２．５重量％の低２−フェニルＬＡＳの水溶液を、図３で示すようにエチレンジアミン（“ＥＤＡ”）で滴定した。非イオン性界面活性剤およびＥＤＡと低２−フェニルＬＡＳの塩の組み合わせは、予期せずに以下のことが分かった；（ｉ）ＥＤＡ  対  ２−フェニルＬＡＳのモル比にもかかわらず室温で（すなわち約２０℃）水性組成物中で溶解性となる（図３に示すように）、そして（ｉｉ）エチレンジアミン対ＬＡＳのモル比がジェミニ様界面活性剤を形成する範囲の時は、溶液が粘度に有意な上昇（最高３５０％）を有
することを示す粘度曲線により証明されるように、ジェミニ様界面活性剤の有利な物理的特性を保持する（図４に示すように）。
【００９７】
追加の実施例は、以下の各（ポリ）エチレンポリアミン：ＥＤＡ，ＤＥＴＡ，ＴＥＴＡ、およびＴＥＰＡを、７．５重量％の非イオン性界面活性剤（ＳＵＲＦＯＮＩＣ（登録商標）Ｌ２４−７界面活性剤）および２．５重量％の低２−フェニルＬＡＳの水溶液中で個別に滴定することにより前記のように調製した。各実施例に関して、ＥＤＡ，ＤＥＴＡ，ＴＥＴＡまたはＴＥＰＡは別々に、実質的に中性ｐＨに達するまで２．５重量％の低２−フェニルＬＡＳおよび７．５重量％  ＳＵＲＯＦＮＩＣ（登録商標）Ｌ２４−７の水溶液に合わせた。
【００９８】
またモノエタノールアミン（ＭＥＡ）の単官能性アミンを含んでなる比較例も、ジェミニ様またはオリゴマー様界面活性剤を形成することができる多官能性アミン組成物およびできない単官能性アミンの物理的特性（例えば粘度）における差異を証明するために調製した。比較例は７．５重量％の非イオン性界面活性剤（ＳＵＲＦＯＮＩＣ（登録商標）Ｌ２４−７界面活性剤）および２．５重量％の低２−フェニルＬＡＳの水溶液を個別にＭＥＡで滴定することにより調製した。
【００９９】
前記ＭＥＡ，ＥＤＡ，ＤＥＡ，ＴＥＴＡおよびＴＥＰＡ溶液の粘度は、ＲＶ／ＨＡ／ＨＢスピンドルを用いてＢｒｏｏｋｆｉｅｌｄ粘度計を使用して測定し、その結果を図５に表す。図５で示すように、ＭＥＡと比較して、全ての多官能性アミン含有配合物が低い界面活性作用剤（ｓｕｒｆａｃｔａｎｔ  ａｃｔｉｖｅｓ）でかなり粘度が高まった。低い界面活性作用剤で粘度を上げる能力は、液体の衣類洗剤に重要な基準である。
【０１００】
２．５重量％の低−フェニルＬＡＳおよび７．５重量％のＳＵＲＦＯＮＩＣ（登録商標）Ｌ２４−７を含有する前記ＭＥＡ，ＥＤＡ，ＤＥＴＡ，ＴＥＴＡおよびＴＥＰＡ溶液の洗浄力を、標準米国洗濯条件下、６ポットのターゴトメーター（ｔｅｒｇ−ｏ−ｔｏｍｅｔｅｒ）中で試験した。綿およびポリエステル−綿混紡（ｂｌｅｎｄ）上の汚いモーターオイル、ほこり皮脂（ｄｕｓｔ  ｓｅｂｕｍ）、オリーブ油、および粘度を、２００ｐｐｍ濃度の前記ＭＥＡ，ＥＤＡ，ＤＥＴＡ，ＴＥＴＡおよびＴＥＰＡ配合物で４０℃および１５０ｐｐｍの水硬度（ｗａｔｅｒ  ｈａｒｄｎｅｓｓ）で洗濯した。汚れ見本の光反射率は、洗濯の前後で測定した。すべての汚れ／見本の組み合わせを３回洗浄し、そしデルタＥ単位での結果を平均した。洗浄結果を図６に示す。図６で証明されるように、実験の組成物はすべて水より有意によく性能を発揮し、そして通例の洗剤で見られる単官能性アミンに匹敵したが、実験の組成物は有意に上昇した粘度を低レベルの界面活性作用剤で有するという追加の利点を持ち、これはすでに言及したように液体洗濯用洗剤に重要な特性である。
【０１０１】
前記説明から、本開示が目的を行い、そして本明細書で言及した利点、ならびに本開示に固有の利点を達成するために十分に適応していることが明らかである。本開示の例示的態様は開示の目的で記載してきたが、これは当業者が本開示および添付する請求の範囲の範囲から逸脱せずに達成できることを直ちに示唆する多くの変更を行うことができると理解される。
【図１】
2020504190.tif 000013
【図２】
2020504190.tif 000014
【図３】
2020504190.tif 000015
【図４】
2020504190.tif 000016
【図５】
2020504190.tif 000017
【図６】
2020504190.tif 000018
【国際調査報告】
2020504190.tif 000019